(57)【要約】【課題】再使用が容易であり、その際、手を触れずにワンタッチで捕獲したナメクジの除去を行うことができ、また薬剤の再セットが簡単にできるナメクジ捕獲器を提供する。【解決手段】少なくとも一方の側部に開閉可能な蓋２を設けた横向き筒型の容器本体１と、容器本体１の側部に設けられた誘導穴３と、誘導穴３に基部が結合された横向き漏斗状の誘引筒５とを有し、容器本体１の底部にナメクジ誘引シート６を敷いたナメクジ捕獲器。ナメクジ誘引シート６に含まれている薬剤から発生する匂いに誘引されたナメクジは、誘引筒５の内壁を伝って誘導穴３から容器本体１内部に侵入ないし落下する。ナメクジは、ナメクジ誘引シート６上に集まり、殺虫剤により死ぬ。ナメクジがある程度の個数溜まった時点で側部の蓋２を開け、ゴミ袋の上で容器本体を傾けると、ナメクジの死骸は、ナメクジ誘引シート６ごと、容器本体１の蓋２側の開口から排出される。【選択図】  図１
2007060928.tif 000002
【特許請求の範囲】
【請求項１】
少なくとも一方の側部に開閉可能な蓋を設けた横向き筒型の容器本体と、この容器本体の側部に設けられた少なくとも１つの誘導穴と、この誘導穴に基部が結合された横向き漏斗状の誘引筒と、前記容器本体の底部に敷かれるナメクジ誘引シートとを有するナメクジ捕獲器。
【請求項２】
前記容器本体は、透明プラスチック製である請求項１記載のナメクジ捕獲器。
【請求項３】
前記誘導穴と前記誘引筒の基部とは、ネジにより着脱可能である請求項１または２に記載のナメクジ捕獲器。
【発明の詳細な説明】
【技術分野】
【０００１】
本発明は、植物に害を与えるナメクジやカタツムリを捕獲する器具に関する。
【背景技術】
【０００２】
ナメクジは、昼間は陰湿な場所にひそみ、夜間活動して、野菜や草花を食し、作物に被害を与える。一方、カタツムリは、湿気の多い時、または夜、樹や草に這い上がって若葉などを食い、これも作物に甚大な被害を与える。
【０００３】
このような被害に対処するため、特許文献１には、溶剤を収容した捕獲容器の上部にえさ材を配置し、捕獲容器の開口縁に接してえさ材近くまで延びる誘導部材を、回転軸を介して捕獲容器に上下方向に回転自在に設けるとともに、誘導部材にそれを復帰させる釣り合い重りを設けたナメクジ類の捕獲器が開示されている。
【０００４】
また、特許文献２には、台形の硬質合成樹脂板で造られた長方形の容器の底面接地部に若干の隙間を有するように、またその容器の内部中心部にわずかに凹みをもたせるように構成したナメクジ駆除装置が開示されている。
【０００５】
特許文献３には、ナメクジ類の可食性粉体、メタアルデヒド、糊料およびｐＨ調整剤を必須成分とする固形状の成形体組成物から成り、ｐＨ調整剤の配合量は吸湿時の組成物がｐＨ７〜１０になる量とした駆除剤と、この駆除剤をナメクジ類進入用の開口部を有する容器の内部に収容した、誤食事故防止構造の捕獲器が開示されている。
【０００６】
特許文献４には、上面が開口した本体の前面と背面にナメクジ進入口を設け、底面に水抜き穴を開け、内側に保湿剤を敷き詰め、その上に駆除剤入れを設置し、内側に保湿剤を取り付けた蓋を本体に被せたナメクジ駆除容器が開示されている。
【０００７】
特許文献５には、容器内側にナメクジ用ベイト剤を配置し、側壁にナメクジの侵入孔を設けたナメクジ捕獲容器であって、侵入孔の端部とベイト剤との最短距離を２ｃｍ以上に設定したナメクジ捕獲容器が開示されている。
【０００８】
特許文献６には、上端が開口した本体の側面に、容器内側へ突出し、先端に向かって口径のすぼまったナメクジ進入筒を取り付け、蓋を本体に被せ、内部に餌を入れたたナメクジ捕獲器が開示されている。
【０００９】
特許文献７には、容器部と、蓋部と、誘引路と、誘い落しと、容器部に設けた獲物溜池と、固形状餌用の餌台あるいは液状誘引用餌槽を設けたナメクジ捕殺装置が開示されている。
【００１０】
特許文献８には、内壁面の高さ方向の少なくとも一部の全周が上方ほど内側に向けて接近している有底の容器と、容器内に収容され、捕獲対象生物を誘引し、人畜に無害な誘引物質とよりなるナメクジ等の捕獲器が開示されている。
【００１１】
特許文献９には、容器が上部蓋体と下部本体とに分離できる構造で、下向きの小穴を設けた上部蓋体に対して上向きの大穴を設けた下部本体とが対向するように形成され、さらに下部本体に害虫誘引捕獲剤を収納するための凹部を設けた椀状の捕虫器が開示されている。
【００１２】
特許文献１０には、上面が開口した外容器と、外容器との間に間隔を設けた内挿されるとともに保持され上面が開口した内容器と、外容器上を覆う屋根を回動自在に取り付け、外容器内底には保水物を、内容器にはナメクジ類誘引餌を入れて使用するナメクジ等捕獲器が開示されている。
【００１３】
【特許文献１】実開平３−７６４７７号公報
【特許文献２】実用新案登録第３００１９９４号公報
【特許文献３】特開平８−１７５９０６号公報
【特許文献４】特開平１１−２５３０８６号公報
【特許文献５】特開２００１−８６９１５号公報
【特許文献６】特開２００１−１０３９００号公報
【特許文献７】特開２００２−２７８８８号公報
【特許文献８】特開２００３−２３９４４号公報
【特許文献９】特開２００３−７０４０３号公報
【特許文献１０】特開２００３−２７４８３２号公報
【発明の開示】
【発明が解決しようとする課題】
【００１４】
前掲の特許文献１に記載されたナメクジ類の捕獲器は、えさに誘引されたナメクジ類が誘導部材に誘導されたときに、誘導部材を回転させて溶剤中に落とし込み、捕獲・捕殺するものであるが、構造が複雑であり、捕獲したナメクジを捨てたり溶剤を入れ替えたりする作業が煩雑となる。
【００１５】
特許文献２に記載されたナメクジ駆除装置では、ナメクジは狭い内部空洞部において捕獲するので、集まったナメクジを排除する作業が繁雑であり、手間と時間が掛かる。
【００１６】
特許文献３には、固形状のナメクジ類の駆除剤とそれを収容した捕獲器が記載されているが、使い捨てであるので、コストが嵩むという問題がある。
【００１７】
特許文献４に記載されたナメクジ駆除容器は、容器内部に保湿剤を敷き詰めたり、駆除剤入れを設置したりする作業が必要であり、また使い捨てであるので、コストも嵩むという問題がある。
【００１８】
特許文献５に記載されたナメクジ捕獲容器は、使い捨てであるので、コストが嵩むという問題がある。
【００１９】
特許文献６に記載されたナメクジ捕獲器は、粉状の餌を容器内部に入れるようになっており、ナメクジ進入筒から内部に侵入したナメクジは容器内部で生きているので、捕獲後のナメクジの処置に手間が掛かる。
【００２０】
特許文献７に記載されたナメクジ捕殺装置は、餌や好物の匂いでナメクジやカタツムリを誘引し、獲物溜池内の水で水死させるものであるが、装置が大掛かりで複雑になるため、容器内に溜まったナメクジ等の排除作業が面倒であり、コストも高いという問題がある。
【００２１】
特許文献８に記載されたナメクジ等の捕獲器は、容器内にナメクジを誘引するビール等の液体を入れて、その液体中で水死させるものであるが、ナメクジの死骸を捨てる際の作業が繁雑となる。
【００２２】
特許文献９に記載された捕虫器は、上下二分割式の容器内に害虫誘引捕獲剤を入れるものであるが、中にナメクジが所定数入ったときに、上部蓋体を開けてナメクジを排除し、また害虫誘引捕獲剤を入れなければならず、作業が繁雑である。
【００２３】
特許文献１０に記載されたナメクジ等捕獲器は、構造が複雑であり、地面に埋め込む方式であるので設置場所が限られており、また、捕獲したナメクジの除去にも手が掛かる。
【００２４】
ナメクジやカタツムリは、広東住血線虫の中間宿主であり、手で触ると感染するおそれがある。したがって、前述のナメクジ捕獲器内に捕獲されたナメクジ等を排除する際、手作業であるので、皮膚から感染する危険性がある。
【００２５】
本発明は、使い捨てではなく再使用が容易であり、その際、手を触れずにワンタッチで捕獲したナメクジの除去を行うことができ、また薬剤の再セットが簡単にできるナメクジ捕獲器を提供することを目的とする。
【課題を解決するための手段】
【００２６】
前記課題を解決するため、本発明のナメクジ捕獲器は、少なくとも一方の側部に開閉可能な蓋を設けた横向き筒型の容器本体と、この容器本体の側部に設けられた少なくとも１つの誘導穴と、この誘導穴に基部が結合された横向き漏斗状の誘引筒と、前記容器本体の底部に敷かれるナメクジ誘引シートとを有する。
【００２７】
本発明においては、容器本体内にはナメクジ誘引シートが敷かれている。このナメクジ誘引シートには、シートにナメクジを誘引する匂いを放つ薬剤と、ナメクジを殺す殺虫剤が含まれている。このナメクジ捕獲器を、ビニルハウス内や畑、家庭菜園の庭、台所等、ナメクジの被害から守りたい場所やナメクジが集まる場所に設置する。ナメクジ誘引シートに含まれている薬剤から発生する匂いは、容器本体の誘導穴、誘引筒を通って外部に放出されるため、出没したナメクジは、誘引筒の内壁を伝って誘導穴から容器本体内部に侵入ないし落下する。容器本体の底部にはナメクジ誘引シートが敷かれているので、ナメクジは、ナメクジ誘引シート上に集まり、そして殺虫剤により死ぬ。ナメクジがある程度の個数溜まった時点で側部の蓋を開け、ゴミ袋の上で容器本体を傾けると、ナメクジの死骸は、ナメクジ誘引シートごと、容器本体の蓋側の開口から排出される。再使用時には、新しいナメクジ誘引シートを容器本体内に敷き、蓋を閉めると、繰り返し使用することができる。
【００２８】
前記容器本体は、透明プラスチック製とすることにより、ナメクジがどれくらい捕獲できたかを、蓋を開けることなく、外から確認することができる。
【００２９】
前記誘導穴と前記誘引筒の基部とを、ネジにより着脱可能とすることにより、梱包時や非使用時には誘引筒を取り外して別体とし、コンパクトに収納することができる。
【発明の効果】
【００３０】
本発明によれば、少なくとも一方の側部に開閉可能な蓋を設けた横向き筒型の容器本体と、この容器本体の側部に設けられた少なくとも１つの誘導穴と、この誘導穴に基部が結合された横向き漏斗状の誘引筒と、容器本体の底部に敷かれるナメクジ誘引シートとを有するナメクジ捕獲器の構成とすることにより、使い捨てではなく再使用が容易であり、その際、手を触れずにワンタッチで捕獲したナメクジの除去を行うことができ、また薬剤の再セットを簡単に行うことができる。さらに、誘引筒を横向きに取り付けることで、雨が降っても、雨が容器本体内に入りにくい。
【発明を実施するための最良の形態】
【００３１】
以下、本発明の実施の形態を、図面を用いて説明する。
図１は本実施の形態を示す一部切欠正面図、図２は図１のＡ−Ａ線における断面図、図３は本実施の形態の使用方法を示す説明図である。
【００３２】
これらの図において、ナメクジ捕獲器は、一方が壁であり、他方が開口している横向き筒型の容器本体１と、容器本体１の開口を塞ぐ蓋２を有している。容器本体１の側部には誘導穴３が設けられており、この誘導穴３に、雌ねじブッシュ４がネジ止め、接着、あるいは熱溶着等で取り付けられている。雌ねじブッシュ４には、漏斗状の誘引筒５の基部に形成された雄ねじ部５ａがねじ止めにより取り付けられている。容器本体１の内部には、ナメクジ誘引シート６が敷かれている。容器本体１、蓋２、誘導筒５は、透明プラスチックで形成することにより、容器本体１の内部が透視できる点で好ましい。透明プラスチックとしては、リサイクル可能なＰＥＴ（ポリエチレンテレフタレート）が好適であるが、他の素材を用いた透明プラスチックでもよい。
【００３３】
ナメクジ誘引シート６は、吸い取り紙や不織布等のシートにナメクジを誘引する匂いを放つ薬剤と、ナメクジを殺す殺虫剤が含まれている。ナメクジを誘引する匂いを放つ薬剤としては、例えば、魚粉、サナギ粉等の動物粉、蔗糖等の糖類、ビスケット粉等が挙げられる。ナメクジを殺す殺虫剤としては、例えば、メタアルデヒド、有機リン酸系、カーバイド系等が挙げられる。薬剤や殺虫剤は、本発明の目的を達成すれば、これらに限定されるものではない。
【００３４】
本実施の形態のナメクジ捕獲器を、ビニルハウス内や畑、家庭菜園の庭、台所等、ナメクジの被害から守りたい場所やナメクジが集まる場所に設置する。ナメクジ誘引シート６に含まれている薬剤から発生する匂いは、容器本体１の誘導穴３、誘引筒５の内部を通って外部に放出されるため、出没したナメクジは、誘引筒５の内壁を伝って誘導穴３から容器本体１内部に侵入ないし落下する。誘引筒５の基端部は、容器本体１の内部に突出しているので、一度容器本体１の内部に侵入したナメクジは、容易には出られないようになっている。
【００３５】
容器本体１の底部にはナメクジ誘引シート６が敷かれているので、ナメクジは、ナメクジ誘引シート６上に集まり、そして殺虫剤により死ぬ。
【００３６】
ナメクジは、湿ったところや夜間に出没するため、朝などに容器本体１の内部を確認し、ナメクジがある程度の個数溜まった時点で、図３（ａ）に示すように側部の蓋２を開け、図３（ｂ）に示すようにゴミ袋７の上で容器本体１を傾けると、ナメクジの死骸は、ナメクジ誘引シート６ごと、容器本体１の蓋２側の開口から排出される。そのため、ナメクジに触れることなくナメクジの死骸を処分することができ、従来のように皮膚に直接触れることによる広東住血線虫の感染の危険がなくなる。また、虫が苦手な人でも、簡単に廃棄することができる。
再使用時には、新しいナメクジ誘引シート６を容器本体１内に敷き、蓋２を閉めると、繰り返し再使用することができる。
【００３７】
なお、本実施の形態では、誘導穴３と誘引筒５を１個設けているが、２個、またはそれ以上設けてもよい。また、容器本体１の形状をほぼ４角形としたが、円形あるいは６角形等任意の形状でもよい。誘引筒５は、一部が床面に付くことが、ナメクジを短い距離で容器本体１内に導く点で望ましい。
【産業上の利用可能性】
【００３８】
本発明は、使い捨てではなく再使用が容易であり、その際、手を触れずにワンタッチで捕獲したナメクジやカタツムリの除去を行うことができ、また薬剤の再セットが簡単にできるナメクジ捕獲器として、好適に利用することができる。
【図面の簡単な説明】
【００３９】
【図１】本実施の形態を示す一部切欠正面図である。
【図２】図１のＡ−Ａ線における断面図である。
【図３】本実施の形態の使用方法を示す説明図である。
【符号の説明】
【００４０】
１  容器本体
２  蓋
３  誘導穴
４  雌ねじブッシュ
５  誘引筒
５ａ  雄ねじ部
６  ナメクジ誘引シート
７  ゴミ袋
【図１】
2007060928.tif 000003
【図２】
2007060928.tif 000004
【図３】
2007060928.tif 000005